(57)【特許請求の範囲】
【請求項１】
水が格納された収容空間内に浮遊式加湿器が浮遊した状態で移動可能に設置される浮遊式加湿器の容器の構造であって、
内部に上部開放した収容空間が形成され、設置面に安着する下面が水平に形成される下部胴体と、
下端が前記下部胴体の上端に対応して結合され、上端が前記収容空間に向かって曲面にバンディング成形され、外力によって側方に移動した水を前記収容空間に再投入させる上部胴体と、を含み、
前記下部胴体の下端と前記上部胴体の枠部分は、水の水平移動による水平荷重を上方に分散させるために外部に凸状の曲面で形成され、且つ、
前記下部胴体は、上部に行くほど幅が次第に増加して、側面が外側へ傾斜して形成されていることを特徴とする浮遊式加湿器の容器の構造。
【請求項２】
前記上部胴体の上部開放部位は、前記収容空間の中心方向に行くほど直径が次第に狭くなることを特徴とする請求項１に記載の浮遊式加湿器の容器の構造。
【請求項３】
前記下部胴体の下面には、前記設置面との摩擦力を増加させるための滑り止め部材がさらに結合されていることを特徴とする請求項１に記載の浮遊式加湿器の容器の構造。
【請求項４】
前記滑り止め部材の下端には、凸部または溝が多数形成されていることを特徴とする請求項３に記載の浮遊式加湿器の容器の構造。
【請求項５】
前記下部胴体の上端と前記上部胴体の下端とは、水平回転によるネジ結合方式、超音波融着方式、接着剤付着方式、二重射出方式のいずれか一つの方式で結合されたことを特徴とする請求項１に記載の浮遊式加湿器の容器の構造。
【請求項６】
前記上部胴体の一側面には、手で把持可能な取っ手がさらに形成されていることを特徴とする請求項１に記載の浮遊式加湿器の容器の構造。
【請求項７】
前記上部胴体の上部には、前記浮遊式加湿器の電源線が引き置かれるように凹状の挿入溝がさらに形成されていることを特徴とする請求項１に記載の浮遊式加湿器の容器の構造。
【請求項８】
前記上部胴体の内周面には、前記浮遊式加湿器が衝突時に、衝撃を緩衝するための緩衝部材がさらに結合されていることを特徴とする請求項１に記載の浮遊式加湿器の容器の構造。
【発明の詳細な説明】
【技術分野】
【０００１】
本発明は、浮遊式加湿器の容器の構造に関し、具体的には、容器が設置面に広い面積で安着可能であり、外力によって流動した水が容器の外部にあふれることなく収容空間に再投入させることで、設置の安定性と使用の安全性が同時に確保できる浮遊式加湿器の容器の構造に関する。
【背景技術】
【０００２】
一般的に、加湿器は乾燥した室内に湿気を提供するための装置であり、加湿方式によって超音波を利用した超音波式加湿器と、ヒーターを利用した加熱式加湿器とに区分される。
【０００３】
先ず、超音波加湿器は、水槽に設置された超音波振動子を利用して水を微細な水滴に変化させた後、送風ファンを利用して微細な水滴を霧化状態で噴霧する方式であることに対し、加熱式加湿器は、水槽に設置されたヒーターの熱を利用して水を蒸気化させた後、送風ファンを利用して蒸気を霧化状態で噴霧する方式である。
【０００４】
上記した２種類の加湿器は、固定的な設置面に設置した状態で使用するため、細菌の増殖及び洗浄の問題が大きな短所として浮上しており、これを解消するために、比較的洗浄などの管理が便利な天然式加湿器が多く利用されている。
【０００５】
前記天然式加湿器の中には、比較的洗浄などの管理が簡便な浮遊式加湿器が多く使用されるが、前記浮遊式加湿器は、水が収容された水槽の内部に浮遊した状態で移動可能に設置されるという特徴がある。
【０００６】
このような従来の浮遊式加湿器は、水槽の内部に一定の高さで浮遊しながら、超音波振動子を利用して内部に流入する水を微細な水粒子に変化させた後、送風ファンを利用して水粒子を霧化状態で排出する方式を有する。
【０００７】
そして、従来の浮遊式加湿器は、電池を利用して電力の供給を受ける無線方式と、電源供給部と連結された状態で、超音波振動子に電力を供給するために電源線を利用する有線方式とがある。
【０００８】
しかし、従来の浮遊式加湿器は、電源線を利用した有線方式を使用する場合、電源線が固定的に位置しないため、電源線の流動によって浮遊式加湿器が移動するか、または水槽の壁面に衝突する恐れがあった。
【０００９】
そして、浮遊式加湿器を浮遊させるための水槽が外力によって倒れたり流動したりして、水槽と浮遊式加湿器が破損する恐れがあり、水槽内に格納された水が流動して水槽の外部にあふれることがあるため、漏電による感電事故の恐れがあった。
【００１０】
本発明の関連先行文献として、特許文献１に、浮遊式加湿器が開示されている。
【先行技術文献】
【特許文献】
【００１１】
【特許文献１】韓国登録特許第１０−１３７４９６７号公報
【発明の概要】
【発明が解決しようとする課題】
【００１２】
本発明の目的は、容器が設置面に広い面積で安着し、外力によって流動した水が容器の外部にあふれることなく収容空間に再投入させることで、外力によって倒れにくく設置安定性を確保することができ、漏電による感電事故を防止することができるため、使用安全性が確保できる浮遊式加湿器の容器の構造を提供することにある。
【００１３】
また、本発明の他の目的は、浮遊式加湿器の電源線を固定的に位置させることができ、浮遊式加湿器が電源線の流動によって移動することを防止することができ、これを通じて、浮遊式加湿器と容器が衝突して破損することを防止することができる浮遊式加湿器の容器の構造を提供することにある。
【課題を解決するための手段】
【００１４】
本発明による浮遊式加湿器の容器の構造は、水が収容された収容空間内に浮遊式加湿器が浮遊した状態で移動可能に設置される浮遊式加湿器用水槽において、内部に上部が開放された収容空間が形成され、設置面に安着する下面が水平に形成される下部胴体と、下端が前記下部胴体の上端に対応して結合され、上端が前記収容空間に向かって曲面にバンディング成形され、外力によって側方に移動した水を前記収容空間に再投入させる上部胴体とを含むことを特徴とする。
【００１５】
ここで、前記下部胴体の上端は、上部に行くほど幅が次第に増加して、側面が傾斜して形成されることが好ましい。
【００１６】
また、前記上部胴体の上部開放部位は、前記収容空間の中心方向に行くほど直径が次第に狭くなることが好ましい。
【００１７】
また、前記下部胴体の下面と上端の枠部分は、水の水平移動による水平荷重を上方に分散させるために外部に凸状の曲面で形成されることが好ましい。
【００１８】
また、前記下部胴体の下面には、前記設置面との摩擦力を増加させるための滑り止め部材がさらに結合されることが好ましい。
【００１９】
また、前記滑り止め部材の下端には、凸部または溝が多数形成されることができる。
【００２０】
また、前記下部胴体の上端と前記上部胴体の下端には、水平回転によるネジ結合方式、超音波融着方式、接着剤付着方式、二重射出方式のいずれか一つの方式で結合することができる。
【００２１】
また、前記上部胴体の一側面には、手で把持可能な取っ手がさらに形成されることができる。
【００２２】
また、前記上部胴体の上部には、前記浮遊式加湿器の電源線が引き置かれるように凹状の挿入溝がさらに形成されることが好ましい。
【００２３】
また、前記上部胴体の内周面には、前記浮遊式加湿器が衝突時に、衝撃を緩衝するための緩衝部材がさらに結合されることができる。
【発明の効果】
【００２４】
本発明は、容器の下面を広く形成させて設置面に高い密着力で安着可能にし、外力によって流動した水が外部にあふれることなく収容空間に再投入させることで、容器が外力によって倒れにくく設置安定性を確保することができ、漏電による感電事故を防止することができるため、使用安全性が確保できるという効果を有する。
【００２５】
また、浮遊式加湿器の電源線を固定的に位置させることができるため、浮遊式加湿器が電源線の流動によって移動することを防止することができ、これを通じて、浮遊式加湿器と容器が衝突して破損することを防止することができる効果を有する。
【図面の簡単な説明】
【００２６】
【図１】本発明による浮遊式加湿器の容器の構造を示すための断面図である。
【図２】本発明による浮遊式加湿器の容器の構造において、上部胴体に挿入溝を形成させた状態を示すための断面図である。
【図３】本発明による浮遊式加湿器の容器の構造において、上部胴体の内周に緩衝部材を適用した状態を示すための断面図である。
【図４】本発明による浮遊式加湿器の容器の構造において、下部胴体に取っ手を適用させた状態を示すための断面図である。
【発明を実施するための形態】
【００２７】
以下、添付の図面を参照して本発明による好ましい実施例を詳しく説明する。
【００２８】
本発明の利点及び特徴、そしてこれを達成する方法は、添付の図面と共に詳しく後述する実施例を参照すれば明確になるであろう。
【００２９】
しかし、本発明は、以下で開示される実施例によって限定されるものではなく、互いに異なる多様な形態で実現されるものであり、単に本実施例は、本発明の開示を完全にして、本発明が属する技術分野で通常の知識を持った者に発明の範囲を完全に知らせるために提供されるものであり、本発明は請求項の範疇によって定義されるだけである。
【００３０】
また、本発明を説明するにあたって、関連の公知技術などが本発明の要旨を曖昧にする可能性があると判断される場合、これに関する詳しい説明は省略する。
【００３１】
図１は、本発明による浮遊式加湿器の容器の構造を示すための断面図であり、図２は、本発明による浮遊式加湿器の容器の構造において、上部胴体に挿入溝を形成させた状態を示すための断面図である。
【００３２】
図１及び図２を参照すると、本発明による浮遊式加湿器の容器の構造は、水が格納された収容空間１１０内に浮遊式加湿器２０が浮遊する状態で移動可能に設置される。
【００３３】
特に、本発明による浮遊式加湿器の容器の構造は、下部胴体１００及び上部胴体２００にそれぞれ区分することができる。
【００３４】
先ず、前記下部胴体１００は、内部に水を収容するための収容空間１１０が形成され、設置面（床、テーブルなど）１に安着する下面１２０が水平に形成される。
【００３５】
ここで、前記下部胴体１００の下端は、上部に行くほど幅が次第に広くなる形態を有することができる。
【００３６】
この時、前記下部胴体１００の側面は、水平方向に作用する水の荷重が直角方向に作用しないように傾斜して形成されることができる。
【００３７】
そして、前記下部胴体１００は、図１のように、上方が開放した円筒形状で製作することができるが、前記下部胴体１００の形状は、四角、多角、楕円の形状などのような多様な形態でも製作可能である。
【００３８】
また、前記下部胴体１００は、合成樹脂、金属などの素材で製作することができるが、水を収容可能な多様な素材を選択的に使用してもよい。
【００３９】
さらに、前記下部胴体１００は、外部から浮遊式加湿器１０の浮遊した状態を目視で確認可能に透明または半透明素材を使用する、あるいは、外見を強調するために多様な図や色相などを表現することができる。
【００４０】
だけでなく、前記下部胴体１００の下面と上端の枠部分は、水の水平移動による水平荷重を上方に分散するために外部に凸の曲面で形成されることができる。
【００４１】
即ち、前記下部胴体１００の下面と上端の枠部位を曲面で連結させることにより、側方に流動する水の荷重が前記下部胴体１００の側面に沿って上部に分散することができる。
【００４２】
また、前記下部胴体１００の下面１２０は、設置面１に広い面積で密着するため、前記下部胴体１００が水の流動によって簡単に移動したり倒れたりしなくなる。
【００４３】
特に、前記下部胴体１００の下面１２０には、図１及び図２のように、設置面１との摩擦力を増加させるための滑り止め部材１３０が一定の厚さでさらに結合されることができる。
【００４４】
前記滑り止め部材１３０は、ゴム、合成樹脂などの素材を使用することが好ましいが、滑りが防止できる素材であれば、何れのものでも使用可能である。
【００４５】
ここで、前記滑り止め部材１３０の上端と下部胴体１００の下面１２０は、接着剤Ｂを利用して付着することができる。
【００４６】
これとは違って、前記滑り止め部材１３０と下部胴体１００の下面１２０は、別途の締結部材（図示せず）を利用して貫通結合することもできる。
【００４７】
これと共に、前記滑り止め部材１３０の下端には、凸部または溝１３１が多数形成されてもよい。
【００４８】
例えば、前記滑り止め部材１３０の下端に溝１３１を形成する場合、前記滑り止め部材１３０の下端と設置面１との一定の吸着力が形成されるため、下部胴体１００の設置安定性を確保することができる。
【００４９】
また、前記滑り止め部材１３０は、下部胴体１００を設置面１に設置する際に、下部胴体１００の下面１２０に加わる衝撃を緩衝する機能も有することができる。
【００５０】
さらに、前記上部胴体２００の一側面には、使用者が手で把持可能に、環状の取っ手１４０をさらに形成することもできる。
【００５１】
前記取っ手１４０は、使用者が手で把持可能に上部胴体２００の側面から環状で突出して形成するか、前記上部胴体２００の壁面に突出しないように前記上部胴体２００の内部に挿入位置した形態で成形することができる。
【００５２】
このような前記取っ手１４０は、上部胴体２００と同一素材を利用して一体で成形するか、別途の締結部材（図示せず）を利用して結合することができる。
【００５３】
即ち、使用者は、前記取っ手１４０を把持した状態で容器の位置を容易に移動させることができる。
【００５４】
上部胴体２００は、中心が上下に貫通形成され、前記上部胴体２００の下端が下部胴体１００の上端に対応して結合される。
【００５５】
このような前記上部胴体２００は、下部胴体１００の収容空間１１０内に収容された水が外力によって側方に移動する時に外部にあふれないようにする。
【００５６】
このため、前記上部胴体２００は、上端が上部に延長しながら収容空間１１０に向かって曲面でバンディング成形した形態を有する。
【００５７】
ここで、前記上部胴体２００の上部開放部位は、収容空間１１０の中心方向に行くほど直径が次第に狭くなる形態を有することができる。
【００５８】
そして、前記上部胴体２００の下端と前述した下部胴体１００の上端は、水平回転によるネジ結合方式、超音波融着方式、接着剤付着方式、二重射出方式のいずれか一つの方式で結合することができる。
【００５９】
もちろん、前記上部胴体２００の下端と前述した下部胴体１００の上端は、前記方式の他に多様な結合方式を使用することができる。
【００６０】
例えば、前記上部胴体２００と下部胴体１００を対応するネジ結合方式で結合する場合、前記上部胴体２００と下部胴体１００との対応端部は、円筒形状で適用することができる。
【００６１】
案内面２１０は、外力によって収容空間１１０の側方に移動した水が上方移動しながら収容空間１１０に再投入するように案内する。
【００６２】
このような上部胴体２００の形態は、収容空間１１０内に格納された水が外力によって流動する場合、側方に移動する水が下部胴体１００の内周面と案内面２１０を通じて上方移動しながら収容空間１１０に再投入するようにする。
【００６３】
従って、本発明は、外力によって収容空間１１０に格納された水が外部に簡単にあふれないようにすることができるため、漏電による感電事故を予防することができ、より安全に使用することができる。
【００６４】
例えば、子供やペットのいる家庭では、本発明の水あふれ防止構造が必要であり、さらには、日本のような地震発生地域で使用する場合、より効果的である。
【００６５】
一方、上部胴体２００の上端には、図２のように、浮遊式加湿器１０の電源線１１が引き置かれるように挿入溝２２０が凹状にさらに形成されることができる。
【００６６】
前記挿入溝２２０は、電源線１１の外周と対応する円、楕円などの形状を有することができるが、前記挿入溝２２０の形態は、電源線１１の形態によって異なってもよい。
【００６７】
ここで、前記挿入溝２２０は、開放した上部の入口部位が下部の幅より小さく形成されることができる。この時、前記挿入溝２２０内に挿入して引き置かれた電源線１１は、上部に分離されず、固定的に加圧支持されることができる。
【００６８】
そして、前記挿入溝２２０は、多数形成することができ、前記挿入溝２２０の位置も多様に適用可能である。
【００６９】
従って、前記挿入溝２２０を利用して浮遊式加湿器１０の電源線１１を固定的に位置することで、浮遊式加湿器１０と電源線１１が外力によって簡単に流動しなくなる。
【００７０】
一方、上部胴体２００の内周面には、図３のように、浮遊式加湿器１０が衝突の際に、衝撃を緩衝するための緩衝部材２３０がさらに結合されることもできる。
【００７１】
前記緩衝部材２３０は、案内面２１０と対応する形状で付着することができ、水分に強いゴム、合成樹脂、スポンジなどの素材で製作することができる。
【００７２】
ここで、前記緩衝部材２３０は、別途の接着剤によって前記案内面２１０に沿って対応して付着することができる。
【００７３】
このような前記緩衝部材２３０は、水で浮遊する浮遊式加湿器１０が水の流動によって移動して上部胴体２００に衝突の際に衝撃を緩衝することにより、浮遊式加湿器１０と上部胴体２００が破損することを防止することができる。
【００７４】
結果として、本発明は、下部胴体１００が設置面１に高い密着力で安着可能であり、外力によって流動した水が容器の外部にあふれることなく収容空間１１０に再投入することができる。
【００７５】
そこで、水が外力によって倒れにくく設置の安定性を確保することができ、水があふれる時に漏電による感電事故を防止することができるため、使用時の安全性を確保することができる。
【００７６】
また、浮遊式加湿器の電源線１１を固定的に位置することができ、浮遊式加湿器１０が電源線１１の流動によって移動することを防止することができ、これを通じて、浮遊式加湿器１０と下部胴体１００及び上部胴体２００が衝突して破損することを防止することができる。
【００７７】
これまで本発明による浮遊式加湿器の容器の構造に関する具体的な実施例について説明したが、本発明の範囲から逸脱しない範囲内では様々な実施変形が可能なことは自明である。
【００７８】
従って、本発明の範囲は、説明された実施例に限られて伝えられてはならず、後述する特許請求の範囲だけでなく、この特許請求の範囲と均等なものにより定められるべきである。
【００７９】
即ち、前述した実施例は、全ての面で例示的なものであり、限定的ではないと理解すべきであり、本発明の範囲は、詳細な説明よりも後述する特許請求の範囲によって表され、その特許請求の範囲の意味及び範囲、そしてその等価概念から導出される全ての変更または変形された形態が本発明の範囲に含まれると解釈されるべきである。
【符号の説明】
【００８０】
１：設置面
１０：浮遊式加湿器
１１：電源線
１００：下部胴体
１１０：収容空間
１２０：下面
１３０：滑り止め部材
１３１：溝
１４０：取っ手
２００：上部胴体
２１０：案内面
２２０：挿入溝
２３０：緩衝部材
Ｓ：収容空間
Ｗ：水
Ｂ：接着剤
【図１】
0006436372.tif 000002
【図２】
0006436372.tif 000003
【図３】
0006436372.tif 000004
【図４】
0006436372.tif 000005